(57)【要約】  直交周波数分割多重接続（ＯＦＤＭＡ）方式の無線通信システムにおいて２つ以上の放送サービスを提供するための方法を提供する。上記方法は、伝送する放送サービスをサービス別に分離して受信し、各放送サービスごとに求められる品質に応じて符号化とインターリービング及び変調を行う過程と、上記変調された各放送サービス信号を最小伝送単位に分割する過程と、上記分割された放送サービス信号を時分割多重化する過程と、上記放送サービスとともに伝送される物理層伝送情報に上記放送サービスに関する情報を含めてフレームを構成し、該フレームを伝送する過程と、を含んでなる。
2008502276.tif 000002
【特許請求の範囲】
【請求項１】
直交周波数分割多重接続（ＯＦＤＭＡ）方式の無線通信システムにおいて２つ以上の放送サービスを提供するための方法であって、
伝送する放送サービスをサービス別に分離して受信し、各放送サービスごとに求められる品質に応じて符号化とインターリービング及び変調を行う過程と、
前記変調された各放送サービス信号を最小伝送単位に分割する過程と、
前記分割された放送サービス信号を時分割多重化する過程と、
前記放送サービスとともに伝送される物理層伝送情報に前記放送サービスに関する情報を含めてフレームを構成し、該フレームを伝送する過程と、を含んでなることを特徴とする放送サービスの提供方法。
【請求項２】
前記物理層伝送情報のうちの放送サービスに関する情報は、
放送サービスの情報を知らせる拡張ダウンリンク区間使用コード（ＤＩＵＣ）と、前記伝送する各放送サービスの接続識別子（ＣＩＤ）と、前記フレーム内において前記各接続識別子に対応する放送サービスの伝送される位置、シンボルの個数、周波数領域チャンネルの開始位置、及びサブチャンネルの占有数についての情報を含むことを特徴とする請求項１に記載の放送サービスの提供方法。
【請求項３】
前記物理層伝送情報のうちの放送サービスに関する情報は、放送接続識別子（ＣＩＤ）の数を示す放送物理層伝送情報の長さ情報をさらに含むことを特徴とする請求項２に記載の放送サービスの提供方法。
【請求項４】
前記物理層伝送情報のうちの放送サービスに関する情報は、１つの放送パケットが複数の伝送単位に分割されて伝送される時、伝送される放送接続識別子（ＣＩＤ）のサブパケット識別子（ＳＰＩＤ）を指示する情報をさらに含むことを特徴とする請求項２に記載の放送サービスの提供方法。
【請求項５】
前記物理層伝送情報のうちの放送サービスに関する情報は、同一のＣＩＤにて識別される放送に対して連続して伝送できる放送パケットの数を示すＡＲＱチャンネル識別子（ＡＣＩＤ）情報をさらに含むことを特徴とする請求項２に記載の放送サービスの提供方法。
【請求項６】
前記ＡＣＩＤにて伝送する放送パケットの変更有無を知らせるＡＲＱ識別子シーケンス数（ＡＩＳＮ）情報をさらに含むことを特徴とする請求項５に記載の放送サービスの提供方法。
【請求項７】
前記無線通信システムがハイブリッド自動再送要求（ＨＡＲＱ）を支援する場合、前記物理層伝送情報のうちの放送サービスに関する情報は、ハイブリッド自動再送要求（ＨＡＲＱ）であるか否かを知らせる情報と、誤り訂正コードをさらに含むことを特徴とする請求項２に記載の放送データの提供方法。
【請求項８】
アップリンクに関する情報の伝送有無を知らせるアップリンク伝送有無情報をさらに含むことを特徴とする請求項７に記載の放送サービスの提供方法。
【請求項９】
前記物理層伝送情報のうちの放送サービスに関する情報は、拡張ダウンリンク伝送情報を用いて伝送することを特徴とする請求項７に記載の放送サービスの提供方法。
【請求項１０】
前記拡張ダウンリンク伝送情報は、ダウンリンク時間ダイバーシティ情報をさらに含むことを特徴とする請求項９に記載の放送サービスの提供方法。
【請求項１１】
前記拡張ダウンリンク伝送情報は、前記ダウンリンク時間ダイバーシティ情報とともにコーディング方法及び変調／復調方法についての情報をさらに含むことを特徴とする請求項１０に記載の放送サービスの提供方法。
【請求項１２】
直交周波数分割多重接続（ＯＦＤＭＡ）方式で２つ以上の放送サービスを時分割多重化し、該放送サービスに関する情報を物理層伝送情報に含めて１つのフレームにて伝送する無線通信システムにおいて前記放送サービスを受信するための方法であって、
前記フレームの前記ダウンリンクの物理層伝送情報を受信し、該情報を復調及び復号して所望の放送サービスに関する情報を得る過程と、
前記ダウンリンクの物理層伝送情報から得た放送サービスの伝送時点に合わせて前記フレームにおいて放送サービスデータを受信する過程と、
前記受信した放送サービスデータを前記ダウンリンクの物理層伝送情報から得た伝送方式に合わせて復調及びデインターリーブし、該デインターリーブされたデータを時分割されて伝送された他のサブパケットと結合し、該結合されたデータを復号する過程と、を含んでなることを特徴とする放送サービスの受信方法。
【請求項１３】
受信したダウンリンクの物理層伝送情報に放送接続識別子（ＣＩＤ）のサブパケット識別子（ＳＰＩＤ）を指示する情報を含んでおり、前記ＳＰＩＤが初期受信であることを示している時、受信したい放送サービスのパケットを初期格納する過程と、
前記ＳＰＩＤが初期受信でないことを示している時、前記パケットを予め格納されたサブパケットとコードレベルにて結合して格納する過程と、
前記結合された符号化パケットを復号する過程と、をさらに含むことを特徴とする請求項１２に記載の放送サービスの受信方法。
【請求項１４】
前記ダウンリンク物理層伝送情報を通じて同一のＣＩＤにて識別される放送に対して連続して伝送できる放送パケットの数を示すＡＲＱチャンネル識別子（ＡＣＩＤ）情報が伝達される時、前記ＡＣＩＤ情報に基づいてパケットデータを受信する過程と、
前記ＡＣＩＤにて伝送される放送パケットの変更有無を知らせるＡＲＱ識別子シーケンス数（ＡＩＳＮ）情報に基づいて新しい放送パケットの受信を検知する過程と、をさらに含むことを特徴とする請求項１３に記載の放送データの受信方法。
【請求項１５】
ＯＦＤＭＡシステムにおいて複数の放送サービスを提供する方法であって、
各放送サービスに関するデータを独立して符号化する過程と、
前記符号化された放送サービスデータを複数のサブパケットに分割する過程と、
前記放送サービスごとに該放送サービスを識別するための接続識別子（ＣＩＤ）と前記サブパケットを識別するためのサブパケット識別子（ＳＰＩＤ）と前記サブパケットが伝送される位置を知らせる情報を含む放送物理層伝送情報を生成する過程と、
少なくとも１つの前記放送物理層伝送情報と前記放送物理層伝送情報に対応するサブパケットを含むフレームを構成し、該フレームを伝送する過程と、を含んでなることを特徴とする放送サービスの提供方法。
【請求項１６】
前記物理層伝送情報は、前記フレーム内において前記各ＣＩＤに対応する放送サービスの伝送される位置、シンボルの個数、周波数領域チャンネルの開始位置、及びサブチャンネルの占有数についての情報を含むことを特徴とする請求項１５に記載の放送サービスの提供方法。
【請求項１７】
前記物理層伝送情報のうちの放送サービスに関する情報は、同一のＣＩＤにて識別される放送に対して連続して伝送できる放送パケットの数を示すＡＲＱチャンネル識別子（ＡＣＩＤ）情報をさらに含むことを特徴とする請求項１６に記載の放送サービスの提供方法。
【請求項１８】
前記ＡＣＩＤにて伝送される放送パケットの変更有無を知らせるＡＲＱ識別子シーケンス数（ＡＩＳＮ）情報をさらに含むことを特徴とする請求項１７に記載の放送サービスの提供方法。
【請求項１９】
直交周波数分割多重接続（ＯＦＤＭＡ）方式で２つ以上の放送サービスを提供し、該放送サービスに関する情報を物理層伝送情報に含めて１つのフレームにて伝送する無線通信システムにおいて前記放送サービスを受信するための方法であって、
前記フレームに含まれた前記物理層伝送情報から前記放送サービスごとに該放送サービスを識別するための接続識別子（ＣＩＤ）と前記サブパケットを識別するためのサブパケット識別子（ＳＰＩＤ）と前記サブパケットが伝送される位置情報を得る過程と、
前記得た情報を用いて前記フレームから所望の放送サービスのサブパケットを抽出する過程と、
前記抽出したサブパケットを復号する過程と、含んでなることを特徴とする放送サービスの受信方法。
【請求項２０】
前記サブパケットが伝送される位置に関する情報は、前記物理層伝送情報に含まれた前記放送サービスに関する、前記各ＣＩＤに対応して放送サービスが伝送される位置、シンボルの個数、周波数領域チャンネルの開始位置及びサブチャンネルの占有数についての情報から得ることを特徴とする請求項１９に記載の放送サービスの受信方法。
【請求項２１】
前記物理層伝送情報内に同一のＣＩＤにて識別される放送に対して連続伝送を知らせるＡＲＱチャンネル識別子（ＡＣＩＤ）情報がさらに含まれている時、前記ＡＣＩＤ情報から連続して伝送される放送パケットの数を得る過程と、
前記得た放送パケットに対するサブパケットを抽出し、それを復号する過程と、をさらに含むことを特徴とする請求項１９に記載の放送サービスの受信方法。
【請求項２２】
前記ＡＣＩＤ情報にて放送パケットが連続して伝送される時、前記物理層伝送情報から前記放送パケットの変更有無を知らせるＡＩＳＮ情報をさらに得る過程と、
前記ＡＩＳＮ情報が変更される時、前記放送パケットの変更を検出する過程と、をさらに含むことを特徴とする請求項２１に記載の放送サービスの受信方法。
【発明の詳細な説明】
【技術分野】
【０００１】
本発明は、無線通信システムにおいて放送サービスを提供及び受信するための方法に関し、特に、直交周波数分割多重接続（ＯＦＤＭＡ）方式の無線通信システムにおいて放送サービスを提供及び受信するための方法に関する。
【背景技術】
【０００２】
通常の無線通信システムとしては、セルラー方式移動通信システムが挙げられる。この種の移動通信システムは、多数のユーザーと同時に通信を行うために多重接続方式を用いている。移動通信システムにおいて用いる多重接続方式としては、一般に時分割多重接続（ＴＤＭＡ）方式と、コード分割多重接続（ＣＤＭＡ）方式が用いられている。上記コード分割多重接続方式のシステムは、技術の飛躍的な発展に伴い、音声通信を主に提供するシステムから高速のパケットデータを伝送できる形態に発展しつつある。
【０００３】
しかしながら、コード資源の限界により、上記コード分割多重接続方式では、より多くのマルチメディアデータの伝送が困難となってきている。したがって、より多くのユーザーを識別し、該ユーザーらにより多くのデータを伝送できる多重接続方式が求められてきている。このような要求を満たすために台頭されている多重接続方式が、直交周波数分割多重接続（ＯＦＤＭＡ）方式である。この種の直交周波数分割多重接続方式は、多数の直交性を保持するサブチャンネルを用いてユーザーらを識別し、該サブチャンネルを介してデータを伝送する方式である。
【０００４】
このようにセルラー方式システムにおいてデータを高速伝送するために、ＯＦＤＭＡ方式を用いるセルラー方式システムを提案するに至った。このようなＯＦＤＭＡ方式は、ＩＥＥＥ ８０２.１６ｄ標準化会議において高速無線インターネットサービスを提供するために多くの研究と努力がなされている。上記８０２.１６システムは、第３世代（３Ｇ）移動通信システムで提供する速度以上の高速サービスを支援するためのシステムであって、前述したように第３世代移動通信システムにおいて用いる多くの物理層技術に加えて、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）のような伝送方法や多重入／出力（Ｍｕｌｔｉｐｌｅ  Ｉｎｐｕｔ  Ｍｕｌｔｉｐｌｅ  Ｏｕｔｐｕｔ：以下、「ＭＩＭＯ」と称す）アンテナ方法及びスマートアンテナのような発展したアンテナ方法を用いて高速のサービスを実現していた。
【０００５】
しかしながら、かかる従来の８０２.１６のような高速無線通信システムでは、各端末ごとにデータをユニキャストすることを主な対象としており、近年に入って第３世代移動通信システムにおいて提供しようとする放送サービスの送受信方法が８０２.１６システムにおいても提案されている状況である。
【０００６】
以下、現在移動通信システムにおいてダウンリンクチャンネルを介して放送サービスを提供する場合における、物理層から伝送する放送サービスが処理される過程について説明することにする。
【０００７】
図１は、移動通信システムにおいてダウンリンクチャンネルを介して放送サービスを提供する場合における、物理層から伝送する放送サービスの処理過程を示す信号流れ図である。
【０００８】
上記図１に示すように、特定の基地局から、伝送したい放送サービスデータが放送サービスＡと放送サービスＢのように２つの放送サービスデータとして伝送されると仮定する。
このような場合、上記データは、放送サービスＡと放送サービスＢの両方が混在してなるデータ１００であって、放送トラフィックとなる。互いに異なる２つの放送サービスＡと放送サービスＢとが混在してなるデータ１００は、Ｓ１１０過程においてチャンネル符号化が施される。次いで、互いに異なる２つの放送サービスデータのチャンネル符号化された信号１０２は、Ｓ１２０過程においてインターリービング及び変調される。上記インターリービング及び変調された互いに異なる２つの放送サービス信号１０４は、Ｓ１３０過程において放送サービスの伝送処理を通じて伝送するチャンネルにマッピングされる。したがって、放送サービスＡ、Ｂのための無線信号が、上記図１の図面符号１０６ａ、１０６ｂ、１０６ｃで示す伝送チャンネルを介して伝送される。このとき、伝送される無線信号は、予め決められた伝送単位にて伝送が行われる。
【０００９】
以上で説明したような方法で放送サービスデータが混在されて伝送される場合、下記のような問題が生じ得る。第一に、移動端末は、受信したい放送情報が上記図１の放送情報Ａ、Ｂの一方であるにも拘わらず、放送情報Ａ、Ｂが一緒に符号化されたため放送情報Ａ、Ｂに関する無線信号を全て受信した後、それらに対する復号化を行う必要があるという点である。第二に、放送トラフィックの伝送時間区間が非常に短いため、時間ダイバーシティ（ｔｉｍｅ  ｄｉｖｅｒｓｉｔｙ）による最大限の性能改善効果が得られないという点である。
【００１０】
一般に、放送サービスは、複数の移動端末に対して一方的にダウンリンク信号を伝送する。したがって、放送サービスに対してはダウンリンク電力制御が困難であるため、フェージング無線チャンネルを克服するためには、伝送時間区間が無線チャンネルのコヒーレンス時間より大きくて十分な時間ダイバーシティを得る必要がある。ところが、上記の場合、十分な時間ダイバーシティが得られない。以下、それについて、図２を参照して説明することにする。
【００１１】
図２は、チャンネルフェージング変化と伝送されるデータとの関係を説明するためのタイミング図である。この図２中の上部に示した各伝送単位別のフレームは、基地局からダウンリンク伝送するパケットを示す。ここでは、放送サービスについて説明しているので、上記図１に係る説明と同様に、上記パケットは、互いに異なる放送サービスが混在されてなる無線信号と仮定する。すなわち、互いに異なる放送サービスが混在されてなる無線信号が上記図２に示すように、ｉ、ｉ＋１、ｉ＋２、ｉ＋３、ｉ＋４、ｉ＋５、…のような順に伝送される。そして、時間変化によるフェージングチャンネルの増幅応答特性２００は、上記図２中の下部に示した曲線のような形態を有すると仮定する。すると、上記図２中の符号２１０の時点から符号２１２の時点までの間に伝送されるｉ＋３番目の無線フレームは、フレーム誤りの発生確率が非常に高くなる。すなわち、無線信号が十分な時間ダイバーシティを得ることができなくなるため、受信性能が劣化する。
【００１２】
言い換えれば、上記図２においてｉ＋３番目に伝送された放送信号のフレームは、フェージングによって無線チャンネルが急激に悪くなる、いわゆる「ｄｅｅｐ  ｆａｄｅ」に陥ることにより、受信される信号対ノイズ比が非常に低くなる。その結果、伝送される放送信号のフレームに誤りが生じる確率が非常に高くなる。上記図１のように伝送する方式における第三の問題は、放送信号Ａ、Ｂが一緒に符号化され変調されるため、各々に対して独自の性能を持たせることが不可能であるという点である。すなわち、放送情報Ａは、基地局のサービス全域に対する放送サービスのための情報であり、放送情報Ｂは、基地局のサービス全域のうち無線チャンネル環境の良い一部地域のみのための情報であると仮定するとき、上記図１に示すように放送情報ＡとＢを同時に符号化し変調することにより、２つの放送情報の各々に対して独自の性能を持たせることが不可能である。
【発明の開示】
【発明が解決しようとする課題】
【００１３】
そこで、本発明の目的は、互いに異なる放送サービスを同時に提供する場合、各放送サービスに対して独自の性能を提供することができる放送サービスの提供及び受信方法を提供することである。
【００１４】
本発明の他の目的は、互いに異なる放送サービスを同時に提供する場合、各放送サービスに対する時間ダイバーシティ効果を得ることができる放送サービスの提供及び受信方法を提供することである。
【００１５】
本発明のまた他の目的は、ユーザーが所望の放送サービスデータだけを受信することができる放送サービスの提供方法及び受信方法を提供することである。
【課題を解決するための手段】
【００１６】
上記目的を達成するための本発明による放送サービスの提供方法は、直交周波数分割多重接続（ＯＦＤＭＡ）方式の無線通信システムにおいて２つ以上の放送サービスを提供するための方法であって、伝送する放送サービスをサービス別に分離して受信し、各放送サービスごとに求められる品質に応じて符号化とインターリービング及び変調を行う過程と、上記変調された各放送サービス信号を最小伝送単位に分割する過程と、上記分割された放送サービス信号を時分割多重化する過程と、上記放送サービスとともに伝送される物理層伝送情報に上記放送サービスに関する情報を含めてフレームを構成し、該フレームを伝送する過程と、を含んでなる。
【００１７】
上記目的を達成するための本発明による放送サービスの受信方法は、直交周波数分割多重接続（ＯＦＤＭＡ）方式で２つ以上の放送サービスを時分割多重化し、該放送サービスに関する情報を物理層伝送情報に含めて１つのフレームにて伝送する無線通信システムにおいて上記放送サービスを受信するための方法であって、上記フレームの上記ダウンリンクの物理層伝送情報を受信し、該情報を復調及び復号して所望の放送サービスに関する情報を得る過程と、上記ダウンリンクの物理層伝送情報から得た放送サービスの伝送時点に合わせて上記フレームにおいて放送サービスデータを受信する過程と、上記受信した放送サービスデータを上記ダウンリンクの物理層伝送情報から得た伝送方式に合わせて復調及びデインターリーブし、該デインターリーブされたデータを時分割されて伝送された他のサブパケットと結合し、該結合されたデータを復号する過程と、を含んでなる。
【発明の効果】
【００１８】
本発明による８０２.１６方式を採択した無線通信システムにおいて放送サービスを提供すれば、各放送サービスの時間ダイバーシティ効果を得ることができ、その結果、受信性能を改善することができる。また、各放送サービスをサービスごとに区別して伝送することにより、放送サービスの多様な品質を提供することができるという利点があり、端末側は、自分が所望する放送サービスのみを受信することができるという利点がある。
【発明を実施するための最良の形態】
【００１９】
以下、添付した図面を参照して、本発明の好適な実施の形態について詳細に説明する。なお、本発明を説明するにあたって、関連した公知の機能または構成に関する具体的な説明が本発明の要旨を曖昧にするおそれがあると判断される場合は、その詳細な説明を省略する。
【００２０】
図３は、本発明の実施の形態による移動通信システムにおいて放送サービスのために２つの放送情報に関する伝送信号を生成するための過程を示す図である。以下、図３を参照して本発明の実施の形態による移動通信システムにおいて互いに異なる放送サービスを提供するための過程について詳しく説明することにする。
【００２１】
本発明による放送サービスを提供する基地局は、放送サービスを混在された形態で処理せずに、該放送サービスをサービスごとに別個に受信する。上記図３では、このように放送サービスＡと放送サービスＢに対して独立してパケットを受信する過程を示している。放送サービスＡと放送サービスＢに対して独立してパケットを受信した後、基地局は、Ｓ３１０過程において各放送サービスに対してそれぞれの方式でチャンネル符号化を行う。このようなチャンネル符号化は、一般に上記システムにおいて定義されたチャンネル符号化方法を用いて行う。しかしながら、本発明では、チャンネル符号化方法について限定しないことにする。ただし、本発明では、各放送サービスデータをそれぞれ別個にチャンネル符号化することを特徴とする。
【００２２】
このように放送サービスＡと放送サービスＢのパケットをそれぞれ別個にチャンネル符号化した後、基地局はＳ３２０過程へ進む。Ｓ３２０過程において、基地局は、符号化された各放送サービスを独立してインターリービング及び変調する。このように変調までを完了すれば、基地局は、Ｓ３３０過程へ進み、各放送サービスを８つの伝送単位に分割する。本発明では、実施例として放送サービスを８つに分割すると仮定する。しかしながら、放送サービスを分割する単位は、８つより多くても良く、８つより小さくても良い。このように、伝送される単位は最小伝送単位に合わせて分割する。したがって、最小伝送単位の時間または最小伝送単位にて伝送できる伝送率、及び変調までが完了したパケットのサイズなどによって分割する大きさが決められる。上記Ｓ３３０過程における最小伝送単位への分割は、符号化された信号または符号化インターリービングされた信号に適用されても良く、この場合、インターリービングや変調過程は、最小伝送単位への分割以後に適用される。
【００２３】
基地局は、Ｓ３３０過程で分割を完了すると、Ｓ３４０過程へ進んで多重化を行う。このような多重化は、上記分割された各放送サービスを順次にまたは所定の時間内に伝送されるようにするために行う。上記図３では、２つの放送サービスだけが提供され、２つの放送サービスが同じ量のデータを交互に順次に伝送すると仮定している。しかし、実際に提供される放送サービスに対して互いに異なる品質を求め、またはより多くの量の伝送が求められる場合があり得る。このような場合、求められる量分の放送サービスをより多くの回数にわたり伝送するようにしてもよい。また、３つ以上の互いに異なる放送サービスが伝送される場合には、各放送サービスに該当する信号が順次に伝送される。この時にも、各放送サービスは、求められる放送サービスの品質または伝送すべき量等に応じて１回ずつ独立して伝送される。すなわち、特定の放送サービスに対しては、他の放送サービスが１回伝送される区間における回数より多くの回数（または量）にて伝送することができる。
【００２４】
また、本発明では、上記のように放送サービスを互いに異なる量にて伝送する必要がある場合、伝送最小単位を相次いで伝送する場合に比べ、他の放送サービスとの間に挿入することにより時間ダイバーシティ効果を得ることができる。それについて、３つの放送サービスが伝送される場合を例に挙げて説明する。
【００２５】
放送サービスＡは４回の伝送最小単位ごとに１回ずつ伝送し、放送サービスＢは２回の最小伝送単位ごとに１回ずつ伝送し、放送サービスＣは４回の伝送最小単位ごとに１回ずつ伝送しなければならないと仮定する。すると、各放送サービスは、下記のような手順で伝送することができる。
【００２６】
第１の例：放送サービスＢ→放送サービスＡ→放送サービスＢ→放送サービスＣ→放送サービスＢ→放送サービスＡ→…
第２の例：放送サービスＢ→放送サービスＣ→放送サービスＢ→放送サービスＡ→放送サービスＢ→放送サービスＣ→…
【００２７】
図３を参照すると、上記図３のような方式で伝送される放送サービスは、上記図１の放送サービス伝送方式に比べて次のような長所を持つ。第一に、放送情報ＡとＢは別途の符号化過程を施されるため、移動端末受信は、放送情報Ａに関する無線信号のみを受信した後、それを用いて復号化すればよい。第二に、放送情報ＡとＢの無線信号は時分割多重化されているため、上記図１と比べて２倍にあたる時間ダイバーシティ効果を得ることができる。第三に、放送情報ＡとＢはそれぞれ独立して符号化及び変調過程が適用されるため、該放送情報ＡとＢが互いに異なるデータ伝送速度及び性能を持つように設定することができる。
【００２８】
第三の長所を例に挙げて説明すれば、下記のとおりである。放送情報Ａは符号化率０．２とＱＰＳＫ変調方式を用いて１００ｋｂｐｓのデータ伝送速度にて伝送され、放送情報Ｂは符号化率０．４と１６ＱＭ変調方式を用いて４００ｋｂｐｓのデータ伝送速度にて伝送されると仮定する。このような場合、放送情報Ａは、相対的に低いデータ伝送速度にて相対的に広い地域をサービスすることができるようになるのに対し、放送情報Ｂは、相対的に高いデータ伝送速度にて相対的に狭い地域のみをサービスすることができるようになる。このように放送情報ごとにサービス領域の拡大とデータ伝送速度を独立して設定可能であるということは、移動通信システムを運営する上で大きな長所である。このとき、放送情報Ａと放送情報Ｂは、互いに異なるＴＶチャンネルのような全く別の情報から構成されてもよく、同一の情報に対して別の画質または音質を有する情報から構成されてもよい。すなわち、１つのＴＶチャンネルに対して一般の画質及び音質を有するように作成された放送情報と、高画質及び音質を有するように作成された放送情報が、上記図３に示すように別途に符号化、インターリービング、変調されるのである。この場合、移動端末は、無線チャンネル受信環境が相対的に悪い地域では、低い信号対ノイズ比（ＳＮＲ）でも受信できる一般の画質及び音質を有するように作成された放送情報を受信する。そして、無線チャンネル環境が相対的に良い地域では、高いＳＮＲでのみ受信できる高画質及び音質を有するように作成された放送情報を受信することができる。
【００２９】
図４は、本発明の実施の形態による移動通信システムにおいて放送サービス信号が時分割多重化されて伝送される場合における、所望の放送情報を受信するための過程を示す図である。上記図４において、基地局は、放送サービスＡと放送サービスＢに対する符号化、インターリービング及び変調された信号を８つの最小伝送単位に分割したと仮定する。この場合、放送情報Ａを受信したい移動端末は、上記図４に示すように、時分割多重化された放送情報Ａに関する信号と放送情報Ｂに関する信号から放送情報Ａに関する信号のみを選択的に受信した後、同一の符号化、インターリービング及び変調によって生じた信号を全て結合し、該結合した信号に対して受信過程を施す。以下、それについて詳しく説明する。
【００３０】
無線放送信号が図面符号４００のように時分割多重化されて伝送される時、無線端末は、自己が受信したい伝送単位のフレームのみを選別して受信する。すなわち、Ｓ４１０過程において所望の放送信号のみを抽出し、選別して受信する。そして上記受信した所望の放送情報フレームをＳ４２０過程において結合し、該結合された信号をＳ４３０過程において復調及び復号することにより、所望の放送サービスＡを受信する。
【００３１】
以下、放送サービスの伝送及び放送パケットの識別方法について説明することにする。
一般に、ユニキャスト（ｕｎｉｃａｓｔ）を主な目的とする高速無線通信システムにおいて放送サービスを支援するためには、基地局から伝送される物理層フレームが放送パケットを含んでいるか否かと特定パケットが放送パケットであるか否かを指示できる必要がある。このために、基地局は放送パケットが伝送される各時点を制御メッセージなどを通じて端末に知らせるか、または当該パケットが伝送される物理層フレームに放送情報が含まれて伝送されることを書き込み、該情報を放送することにより放送サービスが伝送される物理層フレームであることを指示することができる。
【００３２】
放送サービスパケットを識別する方法として、本発明において対象としている８０２.１６システムでは、各放送サービスに対して特定の接続識別子（ＣＩＤ、Ｃｏｎｎｅｃｔｉｏｎ  ＩＤ）を付与し、伝送フレームごとに含まれて伝達される物理層伝送情報（ＤＬ−ＭＡＰ）部分に当該ＣＩＤを含む放送情報を書き込んで伝送する方法を用いることができる。特定のフレームを受信した端末は、当該フレームの物理層伝送情報を受信し、該受信した物理層伝送情報内に所望の放送にあたるＣＩＤが含まれている場合、該ＣＩＤが伝送されるシンボルとサブチャンネルを介して所望の放送を受信することができる。
【００３３】
このように構成される物理層伝送情報を表に示すと、下記の表１のとおりである。
【表１】
2008502276.tif 000003
【００３４】
上記表１は、８０２.１６システムにおいて用いる一般的な物理層伝送情報の構造を示している。ＤＩＵＣ（Ｄｏｗｎｌｉｎｋ  Ｉｎｔｅｒｖａｌ  Ｕｓａｇｅ  Ｃｏｄｅ）フィールドは、８０２.１６システムにおいて広く使われる伝送タイプを指示するフィールドで、物理層伝送情報に明示されたチャンネルのダウンリンク伝送タイプを指示している。ＩＮＣ＿ＣＩＤフィールドは、当該物理層伝送情報に接続識別子（ＣＩＤ）が含まれているか否かを指示するフィールドである。Ｎ＿ＣＩＤフィールドは、当該物理層伝送情報に含まれた接続識別子の数を指示するフィールドで、ＣＩＤフィールドは、物理層伝送情報が指示するフレームにおいて伝送されるデータの接続識別子を指示するフィールドである。ＯＦＤＭＡ  ｓｙｍｂｏｌ  ｏｆｆｓｅｔフィールドは、フレーム内において当該データが伝送されるＯＦＤＭＡシンボルの開始位置を指示するフィールドで、Ｎｏ．ＯＦＤＭＡ  ｓｙｍｂｏｌｓフィールドは、該ＯＦＤＭＡシンボルの数を指示するフィールドである。Ｓｕｂｃｈａｎｎｅｌ  ｏｆｆｓｅｔフィールドは、当該データが伝送されるチャンネルの開始位置を指示するフィールドで、Ｎｏ．Ｓｕｂｃｈａｎｎｅｌｓフィールドは、該チャンネルの数を指示するフィールドである。Ｂｏｏｓｔｉｎｇフィールドは、当該データの伝送に使われる追加的な電力レベルを指示するフィールドである。
【００３５】
本発明では、物理層フレーム内において放送サービスパケットの位置を指示する方法として、上記物理層伝送情報に加えて放送関連情報を書き込む放送物理層伝送情報（Ｂｒｏａｄｃａｓｔ  ＤＬ−ＭＡＰ）を定義し含める方法を例示する。放送物理層伝送情報は、該物理層伝送情報のフィールドのうちのＤＩＵＣフィールドを１５と設定した時に含めることができ、その構造は、下記の表２に示すとおりである。
【００３６】
【表２】
2008502276.tif 000004
【００３７】
上記表２は、８０２.１６システムを対象として本発明において新たに定義する放送物理層伝送情報の構造を示している。放送物理層伝送情報の構造のうちのＥｘｔｅｎｄｅｄ  ＤＩＵＣフィールドは、多くの拡張物理層伝送情報のうち放送物理層伝送情報であることを示す識別子である。したがって、ＤＩＵＣが１５の物理層伝送情報を受信した端末は、物理層伝送情報内に拡張物理層伝送情報が含まれていることが分かり、該拡張物理層伝送情報のＥｘｔｅｎｄｅｄ  ＤＩＵＣフィールドを読み取って、該値が放送物理層伝送情報にあたる識別子であると、当該拡張物理層伝送情報を放送用として解釈することができる。
【００３８】
放送物理層伝送情報のＬｅｎｇｔｈフィールドは、含まれている放送物理層伝送情報のサイズを示すフィールドで、Ｎ＿ＣＩＤは、含まれている放送接続識別子の数を示す値で、Ｌｅｎｇｔｈ値からその数を決めることができる。放送物理層伝送情報は、Ｎ＿ＣＩＤだけの放送識別子に関する情報を含むようになる。ＣＩＤフィールドは、当該放送物理層伝送情報に含まれている放送を識別する接続識別子を意味するフィールドである。ＯＦＤＭＡ  Ｓｙｍｂｏｌ  Ｏｆｆｓｅｔフィールドは、当該放送識別子の放送が伝送されるフレーム内のシンボル位置を指示するフィールドで、Ｎｏ．ＯＦＤＭＡ  Ｓｙｍｂｏｌｓフィールドは、当該位置で幾つのシンボルの間当該放送が伝送されるかを指示するフィールドである。Ｓｕｂｃｈａｎｎｅｌ  Ｏｆｆｓｅｔフィールドは、当該放送識別子の放送が伝送される周波数領域チャンネルの開始位置を指示するフィールドで、Ｎｏ．Ｓｕｂｃｈａｎｎｅｌｓフィールドは、当該開始チャンネルにおいて幾つのチャンネルを占有して伝送されるかを指示するフィールドである。ＤＩＵＣフィールドは、８０２.１６システムにおいて広く使われる伝送タイプを指示するフィールドである。
【００３９】
ＳＰＩＤ（Ｓｕｂ  Ｐａｃｋｅｔ  ＩＤｅｎｔｉｆｉｅｒ）フィールドは、１つの放送パケットが複数の伝送単位、すなわちサブパケットに分割されて伝送される時、該フレームに含まれて伝送される当該放送識別子のサブパケット識別子を指示するフィールドである。前述した図３に示す例のように、１つの放送パケットが８つのサブパケットに分割されて伝送され、該フレームにおいて三番目のサブパケットが伝送される場合、当該放送識別子のＳＰＩＤフィールドは２の値を持つようになる。また、一番目のサブパケットのＳＰＩＤは０になる。当該ＣＩＤのＳＰＩＤ  ２の放送サブパケットを受信した端末は、前に受信したそのＣＩＤのサブパケット  ０、１と今回のサブパケットとをコードレベルで結合し、放送情報の受信に成功したかどうかを判断するようになる。このように、本発明において定義する放送物理層伝送情報は、８０２.１６システムにおいて伝達されるフレーム内に放送が含まれているかどうかを判断する情報を提供し、それに加えて、特定放送が時分割方法を用いて伝送される時、各々のサブパケットを識別することができる方法を提供する。
【００４０】
本発明において提案する放送物理層伝送情報のより一般的な形態は、下記の表３に示すとおりである。
【表３】
2008502276.tif 000005
【００４１】
上記表３は、上記表２のより一般的な形態を示し、上記表２の構造に加えて、ＡＣＩＤ（ＡＲＱ  Ｃｈａｎｎｅｌ  ＩＤｅｎｔｉｆｉｅｒ）とＡＩＳＮ（ＡＲＱ  Ｉｄｅｎｔｉｆｉｅｒ  Ｓｅｑｕｅｎｃｅ  Ｎｕｍｂｅｒ）フィールドを含む放送物理層伝送情報の構造を示している。ＡＣＩＤフィールドは、同じ１つの接続識別子にて識別される放送において連続して伝送できる放送パケットの数を示す。１つの識別子にて識別される放送サービスにおいてその放送物理層伝送情報にＡＣＩＤフィールドがない場合、基地局は、１つの放送パケットを時分割した全てのサブパケットを伝送するまでは、その次の放送パケットを伝送することができない。もし、１放送識別子に属する２つの放送パケットを時分割し、該サブパケットを連続して伝送する場合、該サブパケットを受信した端末は、それが２つの放送パケットのいずれに属するものであるのか識別不可能になる。したがって、ＡＣＩＤフィールドは、連続して或いは同時に伝送された放送パケットを識別するための用途として使うことができ、端末は、連続して或いは同時に受信した放送サブパケットを、ＡＣＩＤを用いて識別することができる。
【００４２】
すなわち、１つの放送接続識別子に属する放送パケット１と２をそれぞれ４つのサブパケットの１−１、１−２、１−３、１−４と２−１、２−２、２−３、２−４に分割して伝送する時、サブパケット１−１、１−２、１−３、１−４にあたる放送物理層伝送情報のＡＣＩＤは０と設定して伝送し、サブパケット２−１、２−２、２−３、２−４にあたる放送物理層伝送情報のＡＣＩＤは１と設定して伝送すると仮定する。
【００４３】
１−１、２−１、２−２、１−２、１−３、２−３、２−４、１−４の順にサブパケットを受信した端末は、一番目のサブパケットがＡＣＩＤ  ０にあたるＳＰＩＤ  ０のサブパケットであることが分かり、二番目のサブパケットがＡＣＩＤ  １にあたるＳＰＩＤ  ０のサブパケットであることが分かる。連続してサブパケットを受信した端末は、同じＡＣＩＤにて伝送されたサブパケットを結合し、この結果、受信性能を向上することができる。このようにＡＣＩＤを利用する場合、１放送の互いに異なる放送パケットを混在して伝送することができるため、時分割効果を極大化することができるという長所がある。
【００４４】
ＡＩＳＮフィールドは、当該ＡＣＩＤにて伝送されている放送パケットのシーケンス情報を示すフィールドである。基地局は、当該ＡＣＩＤにて伝送する放送パケットが変わった時、ＡＩＳＮフィールドの値を変える。ＡＩＳＮフィールドが０から１或いは１から０へとそのシーケンス情報が変わった場合、端末は当該ＡＣＩＤにて伝送される放送パケットが変わったことを判断することができ、該ＡＣＩＤにあたるバッファを空にし、その次の放送パケットのサブパケットを格納するようになる。ＡＩＳＮを利用する場合、予め決められた放送サブパケットを全て伝送せずにも次の放送パケットを伝送することができるため、より柔軟でかつ可変な放送伝送が可能となる。
【００４５】
また、本発明では、上述した物理層伝送情報と放送物理層伝送情報を用いて伝送される放送パケットのサブパケットを識別する方法に加えて、ＭＡＣ層メッセージであるハイブリッド自動再送要求（ＨＡＲＱ；Ｈｙｂｒｉｄ  Ａｕｔｏｍａｔｉｃ  Ｒｅｐｅａｔ  ｒｅＱｕｅｓｔ）メッセージに放送接続識別子と放送サブパケット識別子を含めて伝送することができる方法を提案する。さらに、本発明では、端末が上記メッセージの情報を用いて放送パケットを受信し、該サブパケットの識別子を識別することができる方法を提案する。
【００４６】
下記の表４は、８０２.１６システムにおいて定義しているハイブリッド自動再送要求メッセージの構造を示している。基地局は、ハイブリッド自動再送要求を支援する端末にハイブリッド自動再送要求情報を伝達するために、下記の表４に示すようなメッセージを放送タイプで伝達する。したがって、ハイブリッド自動再送要求を支援する端末は、物理層フレームに含まれて伝送されるハイブリッド自動再送要求メッセージを受信し、該メッセージ中に自分の接続識別子が含まれているかどうかを判断する。その判断の結果、端末は、自分の接続識別子が含まれていると、当該ハイブリッド自動再送要求情報を自分の受信情報であると判断する。そして、端末は、上記情報を用いて伝送されるハイブリッド自動再送要求サブパケットを受信する。
【００４７】
【表４】
2008502276.tif 000006
【００４８】
上記表４に示すメッセージにおけるＨ−ＡＲＱ  ＭＡＰ  Ｉｎｄｉｃａｔｏｒフィールドは、このメッセージがハイブリッド自動再送要求メッセージであることを示すメッセージ識別子で、その値が「１１１」であるときにハイブリッド自動再送要求メッセージであることを示す。また、Ｈ−ＡＲＱ＿ＵＬ−ＭＡＰ  ａｐｐｅｎｄｅｄフィールドは、ダウンリンク伝送情報に加えてアップリンク伝送情報が含まれていることを指示するフィールドで、「１」と設定されているときにアップリンクハイブリッド自動再送要求関連情報がメッセージ内に含まれていることを示す。ＣＲＣ  ａｐｐｅｎｄｅｄフィールドは、ハイブリッド自動再送要求メッセージとともに、該メッセージに対する３２ビットのＣＲＣが伝送されることを指示するフィールドである。上記ＣＲＣ  ａｐｐｅｎｄｅｄフィールドが「１」の値を有するとき、ハイブリッド自動再送要求メッセージとともに、該メッセージの後尾に３２ビットのＣＲＣが加えられて伝送される。ＭＡＰ  ｍｅｓｓａｇｅ  ｌｅｎｇｔｈフィールドは、ハイブリッド自動再送要求メッセージの長さを示すフィールドで、ＣＲＣが一緒に伝送される場合、ＣＲＣを含む長さを指示する。ＤＬ  ＩＥ  ｃｏｕｎｔフィールドは、幾つのハイブリッド自動再送要求情報が含まれて伝送されるかを指示するフィールドである。上記ハイブリッド自動再送要求メッセージは、上記ＤＬ  ＩＥ  ｃｏｕｎｔフィールドに指示された値だけのダウンリンク伝送情報（Ｃｏｍｐａｃｔ  ＤＬ−ＭＡＰ）を含む。ハイブリッド自動再送要求メッセージのＨ−ＡＲＱ＿ＵＬ−ＭＡＰ  ａｐｐｅｎｄｅｄフィールドが「１」と設定されているとき、メッセージの残りの部分にアップリンク伝送情報（Ｃｏｍｐａｃｔ  ＵＬ−ＭＡＰ）が含まれていることを示す。
【００４９】
上記ダウンリンク伝送情報（Ｃｏｍｐａｃｔ  ＤＬ−ＭＡＰ）は、様々なタイプのダウンリンクハイブリッド自動再送要求情報を示すことができる。本発明では、ダウンリンク伝送情報のタイプのうち、拡張ダウンリンク伝送情報タイプを用いて放送パケットの情報を伝達する方法を提案する。
【００５０】
【表５】
2008502276.tif 000007
【００５１】
上記表５は、拡張ダウンリンク伝送情報のタイプを示している。上記拡張ダウンリンク伝送情報のＤＬ−ＭＡＰ  Ｔｙｐｅフィールドは、ハイブリッド自動再送要求メッセージに含まれたダウンリンク伝送情報が拡張ダウンリンク伝送情報であることを指示する識別子で、７の値を有するときに拡張ダウンリンク伝送情報であることを示す。また、ＤＬ−ＭＡＰ  ｓｕｂ−ｔｙｐｅフィールドは、拡張ダウンリンク伝送情報のタイプを示すフィールドで、８０２.１６標準では、拡張ダウンリンク伝送情報の具体的なタイプを定義しておらず、全ての値を予備しておいた。Ｌｅｎｇｔｈフィールドは、拡張ダウンリンク伝送情報の長さを示し、指定された長さの拡張ダウンリンク伝送情報ブロックがＰａｙｌｏａｄ部分に含まれるようになる。
【００５２】
本発明では、ＤＬ−ＭＡＰ  ｓｕｂ−ｔｙｐｅ「０」の拡張ダウンリンク伝送情報を放送パケットの伝送情報を示すダウンリンク時間ダイバーシティ情報（ＴｉｍｅＤｉｖｅｒｓｉｔｙ＿ＭＢＳ＿ＤＬ−ＭＡＰ）と定義して使う。下記の表６は、本発明において定義しているダウンリンク時間ダイバーシティ情報の構造を示している。ダウンリンク時間ダイバーシティ情報は、Ｎ＿ＣＩＤだけの放送パケット伝送情報を含んでおり、該Ｎ＿ＣＩＤの値は、拡張ダウンリンク伝送情報で指示したＬｅｎｇｔｈフィールドから分かる。ダウンリンク時間ダイバーシティ情報のＣＩＤフィールドは、含まれて伝送される放送パケットの接続識別子を意味するフィールドで、Ｓｕｂｃｈａｎｎｅｌ  Ｏｆｆｓｅｔフィールドは、当該接続識別子の放送が伝送されるフレーム内の位置を指示するフィールドである。ＮＥＰ  ｃｏｄｅフィールドとＮＳＣＨ  ｃｏｄｅフィールドは、８０２.１６システムにおいて使うコーディング方法と変調／復調方法などを指示するフィールドで、当該放送サブパケットの伝送に使われたコーディング方法と変調／復調方法を指示する。ＳＰＩＤ、ＡＣＩＤ、ＡＩ＿ＳＮフィールドは、上記表２と表３で説明した意味と同じ意味を有するフィールドで、それぞれ放送サブパケットのサブパケット識別子とそのサブパケットが伝送される再送チャンネル識別子、再送シーケンス番号を意味するフィールドである。
【００５３】
【表６】
2008502276.tif 000008
【００５４】
ハイブリッド自動再送要求を支援しながら放送を受信したい端末は、特定の物理層フレームを受信した時、該フレーム内にハイブリッド自動再送要求メッセージが含まれているかどうかを判断しなければならない。ハイブリッド自動再送要求メッセージが含まれている場合、該メッセージ内に含まれたダウンリンク時間ダイバーシティ情報を用いて当該端末が受信したい放送の接続識別子が含まれているかどうかを判断する。端末が受信したい放送接続識別子が含まれている場合、端末は、該識別子にあたる時間ダイバーシティ情報を用いて指定された位置で指定されたコーディング及び変調／復調方法を用いてサブパケット識別子にあたる放送サブパケットを受信することができる。
【００５５】
以下、かかる本発明を適用する場合における、基地局と端末との間で行われる制御過程について説明することにする。下記の説明における放送物理層伝送情報は、表２の簡略化した構造を使うと仮定する。
【００５６】
図５は、本発明の好適な実施の形態による基地局において放送サービスを伝送する際の制御流れ図である。以下、図５を参照して本発明の好適な実施の形態による基地局において放送サービスを伝送する際の制御過程について、詳しく説明する。
【００５７】
上記図５は、本発明による各放送論理チャンネルごとに放送パケットに対して放送サブパケットを生成し伝送する基地局における、フレームごとの動作に係る一実施の形態を示している。本発明において対象とする８０２.１６システムでは、１つの接続識別子にて伝送される放送データが１つの放送論理チャンネルを構成すると見なす。
【００５８】
基地局は、Ｓ５００過程においてフレームごとに基地局に到着する放送データを論理チャンネルごとにバッファに格納するバッファリング動作を行う。以後、基地局は、該基地局が伝送する全ての放送論理チャンネルに対して、Ｓ５０２過程ないしＳ５３２過程の伝送準備処理を行う。上記基地局は、Ｓ５００過程においてバッファリング動作を行い、その後、Ｓ５０２過程へ進んで、特定の放送論理チャンネルｊがフレームｉで伝送されるべきかどうかを判断する。該判断の結果、フレームｉが放送論理チャンネルｊの伝送時点でない場合、次の放送サービスに対する処理を行うか、或いはＳ５００過程へ進んで、放送サービスのバッファリング動作を行い続ける。
【００５９】
上記基地局は、上記Ｓ５０２過程における判断の結果、フレームｉが放送論理チャンネルｊの伝送時点である場合、Ｓ５０４過程へ進んで、当該放送論理チャンネルに対して、その前に伝送中の全てのサブパケットの伝送が完了したかどうかを判断する。それは、当該放送論理チャンネルのＳＰＩＤがＭＡＸ＿ＳＰＩＤ値であるかどうかで判断することができる。すなわち、ＳＰＩＤ＝ＭＡＸ＿ＳＰＩＤであるかどうかを判断することにより、以前のサブパケットの伝送完了有無を判断する。上記Ｓ５０４過程における判断の結果、当該放送論理チャンネルに対して、以前のサブパケットの伝送が全て完了した場合、Ｓ５０６過程ないしＳ５１４過程を通じて、その次の放送パケットに対する伝送準備をするようになる。
【００６０】
以下、先ずＳ５０６過程へ進む場合について説明することにする。上記基地局は、Ｓ５０６過程へ進むと、バッファに格納されている次の放送パケットに対するチャンネル符号化方法とインターリービング方法及び変調方法を決め、Ｓ５０８過程へ進んで、上記決められた方法を適用する。すなわち、伝送したい当該放送パケットを、上記決められた方法で符号化、インターリービング及び変調する。次いで、基地局は、Ｓ５１０過程へ進んで、チャンネル符号化、インターリービング及び変調された放送パケットを予め決められたサブパケットの数に分割してサブパケットを生成する。このとき、本実施の形態を示す図５では各放送サービスごとに行われるので、図３で説明したように各放送サービスごとに独立してチャンネル符号化、インターリービング及び変調が行われる。そして、基地局は、Ｓ５１２過程へ進んで、当該放送論理チャンネルのサブパケット識別子を０と設定する。次いで、基地局は、Ｓ５１４過程における生成されたサブパケットのうちの一番目のサブパケットを選択する。Ｓ５１０過程におけるサブパケットの生成は、本実施の形態と異なって、符号化された信号又は符号化及びインターリービングされた信号にも適用することができ、その場合、インターリービングや変調は、サブパケットの生成後に適用することができる。
【００６１】
このように、Ｓ５０６過程ないしＳ５１４過程における処理を行った基地局は、Ｓ５３０過程へ進んで、選択された放送サブパケットを現在のフレームｉの予め決められた位置に時分割多重化及びチャンネル分割多重化し、Ｓ５３２過程においてフレームｉで伝送される物理層伝送情報に当該放送論理チャンネルｊに関する放送物理層伝送情報を含めるようになる。このような多重化は、前述した図３に示す多重化と同じ意味を持つ。
【００６２】
一方で、上記Ｓ５０４過程からＳ５２０過程へ進むと、すなわち、当該放送論理チャンネルｊの全ての放送サブパケットを伝送していない場合、基地局は、Ｓ５２０過程へ進んで、当該放送論理チャンネルのサブパケット識別子を１増大させる。そして、基地局は、Ｓ５２２過程へ進んで、上記増大したサブパケット識別子にあたるサブパケットを選択し、Ｓ５３０過程へ進む。
【００６３】
Ｓ５３２過程を行った後、基地局は、Ｓ５３４過程へ進んで、現在フレームｉで伝送するユニキャストデータが存在し、現在フレーム内に伝送のための余裕がある場合、当該ユニキャストデータを放送データに加えて多重化する。その後、基地局は、上記多重化された情報及び放送情報を物理層伝送情報に含める。それにより、物理層伝送情報を含むフレームｉが完成する。その後、基地局はＳ５３６過程へ進んで、完成したフレームを伝送し、処理を終了する。
【００６４】
以下、端末で放送フレームを受信する過程について説明する。
図６は、本発明の好適な実施の形態によるシステムの端末において時分割方法にて伝送された放送を受信する際の制御流れ図である。以下、図６を参照して本発明の好適な実施の形態によるシステムの端末において時分割方法にて伝送された放送サービスデータを受信する際の過程について詳しく説明する。
【００６５】
前述したように本発明において対象とする８０２.１６システムでは、１つの接続識別子にて伝送される放送データが１つの放送論理チャンネルを構成すると見なす。
【００６６】
図６を参照すれば、ある時点でフレームｉを受信した端末は、Ｓ６００過程においてフレーム内に含まれた物理層伝送情報及び放送物理層伝送情報を受信し、それをデコーディングする。このような過程を通じて放送物理層伝送情報を含む物理層伝送情報を得た端末は、現在フレームの構成とフレーム内において伝送される接続識別子、その伝送位置などの情報を得ることができる。上記情報を得た端末は、Ｓ６０２過程においてフレームｉに受信したい放送論理チャンネルが含まれているかどうかを判断する。
【００６７】
上記Ｓ６０２過程における判断の結果、受信したい放送論理チャンネルがフレームｉに含まれて伝送された場合、端末は、フレームに含まれた受信したい全ての放送論理チャンネルに対してＳ６０４過程ないしＳ６２０過程を施す。以下、その各過程について説明することにする。
【００６８】
端末は、Ｓ６０４過程へ進んで、受信したい放送論理チャンネルｊに対して放送物理層伝送情報に書き込まれた情報に基づいてフレーム内において放送論理チャンネルｊの位置に伝送されたサブパケットを受信（ｄｅ−ｍｏｄｕｌａｔｉｏｎ、ｄｅ−ｉｎｔｅｒｌｅａｖｉｎｇ）する。このように放送論理チャンネルｊのサブパケットを受信した端末は、Ｓ６０６過程へ進んで、放送物理層伝送情報から伝送された当該放送サブパケットのサブパケット識別子（ＳＰＩＤ）を検出する。その後、上記端末は、上記サブパケットが放送パケットの一番目のサブパケットであるかどうかを判断する。上記判断の結果、当該サブパケットが一番目のサブパケットではない場合、Ｓ６０８過程へ進んで、上記サブパケットを、当該放送論理チャンネルｊの受信バッファに格納されている、その以前までのサブパケットとコードレベル結合する過程（ＩＲ）を行う。当該サブパケットが一番目のサブパケットである場合、Ｓ６０９過程において放送論理チャンネルｊの受信バッファを空にし、Ｓ６１０過程へ進む。以後、端末は、Ｓ６１０過程において、受信した一番目のサブパケット或いはコードレベル結合を施されたパケットをデコーディングし、元の放送パケットを再構成するようになる。
【００６９】
このような過程を行った後、端末は、Ｓ６１２過程へ進んで、上記Ｓ６１０過程において再構成した放送パケットに対してＣＲＣ検査を行う。上記Ｓ６１２過程でのＣＲＣ検査の結果を通じて、当該パケットの受信に成功したかどうかを判断する。上記Ｓ６１２過程での検査の結果、ＣＲＣ誤りが生じた場合、Ｓ６１４過程へ進んで、当該放送パケットを上位階層へ伝送し、Ｓ６２０過程へ進む。上記端末は、Ｓ６２０過程へ進んで、当該放送パケットの論理チャンネルである放送論理チャンネルｊの受信バッファを空にする。
【００７０】
一方で、Ｓ６１２過程での検査の結果、ＣＲＣ誤りが生じた場合、端末は、Ｓ６１６過程へ進んで、サブパケット識別子とサブパケット識別子の最大値とを比べて、当該放送サブパケットが最後のサブパケットであるかどうかを判断する。上記判断の結果、伝送されたサブパケットが最後のサブパケットでない場合、端末は、Ｓ６１８過程へ進む。上記端末は、Ｓ６１８過程へ進んで、受信したサブパケットを当該放送論理チャンネルｊの受信バッファに格納する。これと異なり、上記Ｓ６１６過程での判断の結果、受信したサブパケットが最後のサブパケットである場合、更なる当該放送パケットのサブパケットの伝送はないため、Ｓ６２０過程へ進んで、当該放送論理チャンネルｊの受信バッファを空にする。上記Ｓ６１６過程において行うサブパケットが最後のサブパケットであるかどうかは、受信したＳＰＩＤが最大値を持っているかどうかにより判断することができる。本実施の形態では、ＳＰＩＤを利用すると説明したが、前述したようにＡＩ＿ＳＮ番号の変更を利用することもできる。また、該両方法を全て利用することもできる。
【００７１】
上述したように、フレームｉに含まれた受信したい全ての放送パケットを処理した端末は、Ｓ６２２過程へ進んで、当該放送内のユニキャストデータを処理する過程を経た後、フレームｉでの動作を終了する。
【００７２】
以上、本発明の好適な実施の形態について図示し説明した、本発明の保護範囲は、かかる実施の形態により限定されるものではなく、当該技術分野における当業者であれば、本発明の思想と範囲を逸脱することなく適宜修正及び変更可能であることはいうまでもない。
【図面の簡単な説明】
【００７３】
【図１】移動通信システムにおいてダウンリンクチャンネルを介して放送サービスを提供する場合における、物理層から伝送する放送サービスの処理過程を示す信号流れ図である。
【図２】チャンネルフェージング変化と伝送されるデータとの関係を説明するためのタイミング図である。
【図３】本発明の実施の形態による移動通信システムにおいて放送サービスのための２つの放送情報に関する伝送信号を生成するための過程を示す図である。
【図４】本発明の実施の形態による移動通信システムにおいて放送サービス信号が時分割多重化されて伝送される場合における、所望の放送情報を受信するための過程を示す図である。
【図５】本発明の好適な実施の形態による基地局において放送サービスを伝送する際の制御流れ図である。
【図６】本発明の好適な実施の形態によるシステムの端末において時分割方法にて伝送された放送を受信する際の制御流れ図である。
【符号の説明】
【００７４】
１００：放送サービスＡ＋放送サービスＢ
１０２：放送サービスＡ、Ｂのチャンネル符号化信号
１０４：放送サービスのInterleaved & Modulated信号
１０６ａ：放送サービスＡ、Ｂのための無線信号
１０６ｂ：放送サービスＡ、Ｂのための無線信号
１０６ｃ：放送サービスＡ、Ｂのための無線信号
２００：フェージングチャンネルの増幅応答特性
Ａ、Ｂ：放送サービス
【図１】
2008502276.tif 000009
【図２】
2008502276.tif 000010
【図３】
2008502276.tif 000011
【図４】
2008502276.tif 000012
【図５】
2008502276.tif 000013
【図６】
2008502276.tif 000014
【国際調査報告】
2008502276.tif 000015
2008502276.tif 000016